(57)【要約】  マイクロコントローラを含み、ネットワーク上で分散される少なくとも１台のリモートシステムと通信するように構成されるデータ処理装置であって、上記データ処理装置と上記リモートシステムは、加入者に属するユーザアカウントを識別する複数のパラメータを記憶するように適応され、上記データ処理装置は、一回限りの使用のために設計される上記装置に付けられるアクティブアカウントを備える一回限りのパラメータと、上記データ処理装置に付けられるアカウントを識別し、非アクティブ化される恒久的なパラメータとを備え、上記一回限りのパラメータと恒久的なパラメータが上記少なくとも一つのリモートシステムに記憶され、上記マイクロコントローラが、ｃ）上記データ処理装置がオンに切り替えられるとネットワークにログオンするために一回限りのパラメータを使用し、ｄ）一回限りのパラメータを恒久的なパラメータと交換するようにプログラミングされ、ネットワークに無事にログオンすると、上記恒久的パラメータが恒久的なアクティブアカウントになり、上記第１の装置と上記少なくとも１つのリモートシステムが、交換するために第２のデータ処理装置に付けられる現在のアクティブアカウントを識別するためのパラメータを記憶し、ネットワークに無事にログオンすると、上記第１の装置に自動的に記憶されるプログラムが、上記少なくとも１つのリモートシステムのうち、旧いものから新しいものに、複数のパラメータを交換するためのアクティブ化要求を送信し、現在のアクティブアカウントは非アクティブ化される。
2007513534.tif 000002
【特許請求の範囲】
【請求項１】
マイクロコントローラを含み、ネットワーク上で分散される少なくとも１つのリモートシステムと通信するように構成されるデータ処理装置であって、前記データ処理装置と前記リモートシステムが、加入者に属するユーザアカウントを識別するための複数のパラメータを記憶するように適応され、前記データ処理装置は、
一回限りの使用のために設計された前記デバイスに付けられるアクティブアカウントを備える一回限りのパラメータと、
前記データ処理装置に付けられるアカウントを識別する恒久的なパラメータであって、非アクティブ化される前記恒久的なパラメータと、
を備え、
前記一回限りのパラメータと恒久的なパラメータは、前記少なくとも１つのリモートシステムに記憶され、前記マイクロコントローラは、
ａ）前記データ処理装置がオンに切り替えられるとネットワークにログオンするように一回限りのパラメータを使用し、
ｂ）一回限りのパラメータを恒久的なパラメータと交換し、ネットワークに無事にログオンすると、前記恒久的なパラメータは恒久的なアクティブアカウントになる、
ようにプログラミングされ、
前記第１の装置と前記少なくとも１つのリモートシステムは、交換するように第２のデータ処理装置に付けられる現在のアクティブアカウントを識別するパラメータを記憶し、ネットワークへのログオンが成功すると、前記第１の装置に自動的に記憶されているプログラムが、前記少なくとも１つのリモートシステムで旧いものから新しいものに複数のパラメータを交換するためのアクティブ化要求を送信し、現在のアクティブなアカウントが非アクティブ化されている、データ処理装置。
【請求項２】
前記アクティブ化要求は、アカウントアクティブ化を要求する装置を識別するように、少なくとも１つの旧いパラメータおよび／または少なくとも１つの新しいパラメータを含む、請求項１に記載のデータ処理装置。
【請求項３】
前記一回限りのパラメータは、それぞれの旧いデータ処理装置を置換するデータ処理装置の集合に対して同じである、請求項１に記載のデータ処理装置。
【請求項４】
加入者が前記データ処理装置をオンに切り替える、請求項１に記載のデータ処理装置。
【請求項５】
前記第１の装置からアクティブ化要求を受け取った後、第２の装置に対応する現在のアクティブアカウントを第１の装置に対応する新しいアクティブアカウントに交換するように、前記少なくとも１つのリモートシステムにコマンドを送信する、請求項１に記載のデータ処理装置。
【請求項６】
前記ログオンステップａ）が集中リモートシステムで実行され、前記装置からアクティブ化要求を受け取った後、前記集中リモートシステムは、第２の装置に対応する現在のアクティブアカウントを第１の装置に対応する新しいアクティブアカウントに交換するように、前記少なくとも１つのリモートシステムにコマンドを送信する、請求項１に記載のデータ処理装置。
【請求項７】
ステップｂ）が、ログオン成功を知らせるネットワークからメッセージを受け取った後に実行される自動アクティブ化アプリケーションによって前記装置で実行される、請求項１に記載のデータ処理装置。
【発明の詳細な説明】
【技術分野】
【０００１】
本発明はデータ処理装置の交換に関する。各データ処理装置は、加入者を識別するそれぞれのアカウントに付けられる。特に本発明は、ＳＩＭ（加入者識別モジュール）カードの交換、および新規アカウントの対応するアクティブ化プロセスに適用される。リモートＳＩＭカード交換およびアクティブ化プロセスは、ＳＩＭが音声通信、携帯電話サービス、およびモバイルトランザクションなどのサービスのために、ＧＳＭネットワークオペレータに対し加入者を特定する際に重要な役割を果たすＧＳＭ（ジーエスエム：Ｇｌｏｂａｌ  Ｓｙｓｔｅｍ  ｆｏｒ  Ｍｏｂｉｌｅ  Ｃｏｍｍｕｎｉｃａｔｉｏｎ）の世界に適用される。我々の図解例では、アカウントは、通常、当技術分野において知られているようにＩＭＳＩ（国際移動電話加入者識別番号）と呼ばれるパラメータで識別される。それにも関わらず、本発明はこの例に限定されず、加入者アカウントを識別する任意の他のパラメータが本発明の一部である。
【背景技術】
【０００２】
ＧＳＭ環境では、ネットワークオペレータは多様なＳＩＭベンダからまとめてＳＩＭカードを購入し、ＳＩＭアカウントをアクティブ化する前に多様なバックエンドシステムだけではなく、そのネットワークシステムにもＳＩＭカード上のすべての情報（カードＩＤ、アカウント情報等）を提供する必要がある。例えば口座振替、小切手による支払いなどによって、使用後に勘定を支払う料金別納の加入者の場合、加入者がオペレータの販売時点管理（ＰＯＳ）で自分の情報を登録すると、このアクティブ化を行うことができる。他方、これらのネットワークサービスに前払いをしなければならないプリペイド加入者の場合、加入者がオペレータのＰＯＳまたは指定販売店などの任意の流通経路からカードを購入したときにカードがすでにアクティブ化されているように、アクティブ化を事前に行わなければならない。
【０００３】
ネットワークオペレータが毎回新しいサービスを展開するたびに、あるいはこれらのサービスがＳＩＭカードの変更を必要とするときに、オペレータは（加入者情報が登録されると）料金別納加入者に新しいＳＩＭカードを送付するか、あるいは彼らに新しいＳＩＭカードと交換するために最寄りのＰＯＳに行くように頼む、のどちらかを行う必要がある。プリペイド加入者の場合、現在のＳＩＭカードを交換するために流通経路から新しいＳＩＭカードを購入しなければならない。
【０００４】
ＳＩＭ交換のプロセスおよび効率は、大量のＳＩＭカードを交換する必要があるときには煩わしい仕事になり、多くの場合加入者に過度の迷惑をかける。料金別納シナリオで必要とされるバックエンドプロセスの量は、ＰＯＳレベルでは標準的な作業として自動化されているが、リモート（外部ＰＯＳ）カードの交換を実行するときの大部分のオペレータには適用できない。プリペイド加入者のＳＩＭ交換の場合、それは既存のアカウント情報がネットワークオペレータに不明であるとき、大部分のオペレータで不可能でさえある。したがって、ネットワークオペレータがＳＩＭカードの交換を必要とする新規サービスを展開することは、特に難しく巨大な障害である。
【０００５】
さらに、オペレータは多大なコストアップの圧力にさらされているので、すべてのプリペイドアカウントを事前にアクティブ化することは、アクティブ化の前のプレロードアカウントの記憶のためのネットワーク装置に対する投資のため、常に問題である。加入者アカウント情報を記憶するためにシステムごとの固定容量だけしか持たない、ＡｕＣ（認証センタ）およびＨＬＲ（ホームロケーションレジストリ）を含む、大部分の一般的なネットワーク装置は、これらのシステムにプレロードされるアカウントがますます増えるにつれ、増加されなければならない。
【０００６】
国際公開第０３／０４１４４５号パンフレットは、複数の携帯電話で同じ終端電話番号を可能とするためのシステムおよび方法を開示している。サーバは新しい携帯電話からかけられた第１の呼を受信し、この新しい携帯電話のユーザが過去の携帯電話の前回ユーザであるかどうかを判断するために、動作可能である。この場合、サーバは新規にアクティブ化された携帯電話のユーザから過去の携帯電話の電話番号を取得し、この電話番号を新規にアクティブ化された携帯電話に割り当てる。
【０００７】
国際公開第０２／０１８３６１号パンフレットは、ＳＩＭベースのモバイル機器の無線のアクティブ化のために、仮電子シリアルナンバーを使用するためのシステムおよび方法を開示している。方法は、ＩＭＳＩ、および／または携帯電話の識別番号、および仮電子シリアルナンバーなどの仮アクティブ化識別子でＳＩＭカードをプリプログラムし、登録とアクティブ化の間に携帯電話を識別するためにこの仮電子シリアルナンバーを使用することを含む。一旦、アクティブ化プロセスが完了すると、仮アクティブ化識別子が上書きされる。
【発明の開示】
【発明が解決しようとする課題】
【０００８】
リモートＳＩＭ交換プロセスは、ＳＩＭ交換（および交換後にアクティブ化を実行する）問題を解決するために実施される必要がある。プロセスは、詐欺行為を回避するために適切なセキュリティが実施されることを確実にしなければならないのと同時に、ユーザが迷惑および介入を多く受けることなく、フォールトトレラント（ｆａｕｌｔ  ｐｒｏｏｆ）ではなければならない。解決策は、オペレータがＡｕＣ、ＨＬＲおよび多様なバックエンドシステムに、アカウントのジャストインタイムな提供とアクティブ化を達成するのに役立つ、交換後のリモートＳＩＭカードアクティブ化も可能にする必要がある。したがって、それはオペレータが、必要時にシステムの容量に対する投資をよりよく活用するのに役立つ場合がある。
【課題を解決するための手段】
【０００９】
この目的のため、本発明に従って、新しいＳＩＭは以下を含む。
・ネットワーク（ＨＬＲ、ＡｕＣ）から知られている一回限りのパラメータ（ＩＭＳＩ／Ｋｉ）であって、上記一回限りのパラメータはアクティブなアカウントである。
・新しいデータ処理システムに付けられる新規アカウント（ＩＭＳＩ／Ｋｉ）を識別する新しいパラメータ。
【００１０】
本発明に従って、アクティブ化のステップは以下のとおりである。
１）データ処理システムがオンに切り替えられると、一回限りのＩＭＳＩ／Ｋｉはネットワークにログインするために使用される。
２）ネットワークに無事にログインすると、新しいＳＩＭに記憶されているプログラムが、上記新規アカウントをアクティブ化するためにアクティブ化要求を自動的に送信する。
【００１１】
したがって、本発明は、エンドユーザの手にあるＳＩＭスワッピングおよびアクティブ化を提供し、同じ一回限りのＩＭＳＩ／Ｋｉが新規カードのセットに使用される。
【発明を実施するための最良の形態】
【００１２】
説明を簡略化するために、図面中に示されている同じ要素は同じ参照符号を有する。
【００１３】
図１は、
・旧いＳＩＭカードＯＣＡＲと、
・新しいＳＩＭカードＮＣＡＲと、
・ＳＩＭコピーデバイスと、
・ＳＩＭカードを差し込むことができる携帯電話ＭＯＢと、
・ＳＭＳセンタＳＭＳＣと通信する携帯電話と、
・各ＳＩＭカードに付けられるアカウントを管理できる複数のエンティティと通信するＳＩＭデータ管理ＳＤＭと通信するＳＭＳセンタＳＭＳＣと、
を含むシステムの図である。ＳＩＭカードの管理は、ネットワーク認証、携帯電話のローカリゼーション等を含む。
【００１４】
各ＳＩＭカードには、ネットワークが加入者を識別するための２つの基本的な要素、つまり（１）ＩＭＳＩ（国際移動電話加入者識別番号）および（２）Ｋｉ（認証キー）がある。ＩＭＳＩはアカウント識別子として機能するのに対し、Ｋｉは、加入者の移動局（受話器／電話）がネットワークへのログオンを要求しているときに使用される。ＩＣＣＩＤ（ＩＣカード識別子）は大部分のケースでカードのシリアルナンバーとして働くため、オペレータがＳＩＭカードＩＤとしての役割を果たすために、カードにはＩＣＣＩＤがある。
【００１５】
ネットワークは、Ｋｉによって生成された認証結果、および例えばＧＳＭ仕様で定義されるＣｏｍｐ１２８アルゴリズムなどのオンカード（ｏｎ−ｃａｒｄ）認証アルゴリズムに基づいて、（ＩＭＳＩ値によって特定される）ＳＩＭカードを認証する。加入者がネットワークにログオンするには、ＩＭＳＩとＫｉ値が、無事に認証が行われるためにネットワークのＡｕＣにプレロードされなければならない。ＩＭＳＩとＫｉがＡｕＣに存在しない場合は、加入者は存在しないＩＭＳＩエントリのためにネットワークにログオンできない。これは、交換されるカードのＩＭＳＩ、Ｋｉの組がＡｕＣから削除されなければならず、その後に交換（新規）カードの新しいＩＭＳＩ、Ｋｉ値の交換が行われる、交換プロセスでのキーになるであろう。
【００１６】
解決策には２つの態様がある。つまりリモートＳＩＭカード交換とリモートＳＩＭアクティブ化である。
【００１７】
ＳＩＭカード交換プロセスには以下の３つの構成要素がある。
・１）旧いＳＩＭカードＯＣＡＲ、
・２）新しいＳＩＭカードＮＣＡＲ、および、
・３）ＳＩＭデータを、（例えば、スマートカードリーダが取り付けられたＰＣ上のソフトウェア、スマートカードの上に読み書きするためのカスタマイズされたハードウェアデバイス等）旧いＳＩＭカードの中に、および中から、および新しいＳＩＭカードの中に、読み書きできる、任意の形式のＳＩＭコピーデバイスＣＯＰ（以下、「ＳＩＭコピーデバイス」と呼ばれる）。
【００１８】
旧いＳＩＭカードＯＣＡＲは既存のアカウント情報を含んでいる。新しいＳＩＭカードＮＣＡＲは以下の情報を含んでいる。
１．アクティブ化される準備が整った隠しファイルの中の新しいＩＭＳＩ、Ｋｉ。
２．新しいカードが、一回限りのアクティブ化要求を実行するためにネットワークへのアクセスを取得するための、一回限りのＩＭＳＩ、一回限りのＫｉ。
３．一回限りのアカウントとのアクティブ化の前に所定の電話番号にだけ電話をかける能力。この一回限りのアカウントは次項に詳しく説明される。通常、所定の番号は問い合わせがある場合のカスタマケアセンタの番号となる。
４．電話でのメニュー選択、または一回限りのアカウントアクティブ化の後の自動トリガの形をとるアクティブ化要求をユーザが開始すると、このような要求についてバックエンドに知らせるために、ＳＭＳ、ＵＳＳＤ文字列、または他の任意の手段によって、アカウントアクティブ化のための専用のアドレスにアクティブ化要求を送出する能力を備えた、小さな隠しアプリケーション。
【００１９】
ＳＩＭコピーデバイスＣＯＰは、旧いカードから新しいカードに以下の情報をコピーする。
・旧いカードから新しいカードの隠しファイルへのＩＣＣＩＤおよびＩＭＳＩ。
・旧いカードから新しいカードのＰｈｏｎｅｂｏｏｋ（電話帳）ファイルへの、Ｐｈｏｎｅｂｏｏｋエントリ。
・旧いカードから新しいカードのＳＭＳファイルへの、ショートメッセージサービス（ＳＭＳ）エントリ。および、
・旧いＳＩＭから新しいＳＩＭへ他のカスタマイズ化された情報。
【００２０】
リモートカードの交換では、ＳＩＭコピーデバイスＣＯＰは、新しいＳＩＭが、旧アカウント情報（旧ＩＣＣＩＤ、旧ＩＭＳＩ）と新アカウント情報（新ＩＣＣＩＤ、新ＩＭＳＩ）とともに、ネットワークにアクティブ化要求を送出するように、すべての旧カード情報（ＩＣＣＩＤ、ＩＭＳＩ、Ｐｈｏｎｅｂｏｏｋ、ＳＭＳエントリ等）を、旧いカードＯＣＡＲから新しいＳＩＭカードＮＣＡＲにコピーする。
【００２１】
ＳＩＭコピーデバイスＣＯＰも、電話帳、ＳＭＳエントリ等を新しいＳＩＭにコピーするため、新しいカードがアクティブ化されると、新しいＳＩＭ  ＮＣＡＲが、実施されている新規サービスとともに旧いカードのすべての情報を保存する。
【００２２】
この例では、新しいカードＮＣＡＲがアクティブ化要求を送出した後、ネットワーク側の別の構成要素、すなわち「ＳＩＭデータ管理システム」ＳＤＭがアクティブ化要求を処理する。ＳＩＭデータ管理システムＳＤＭは、主に以下の目的に役立つ。
１．加入者からアクティブ化要求を受け取る。
２．加入者から受信される情報（旧ＩＣＣＩＤ、旧ＩＭＳＩ）に基づいて、旧いアカウントを非アクティブ化する。非アクティブ化は、Ａｕｃ、ＨＬＲまたは必要とされる任意の他のシステムで行われる。
３．加入者から受信された情報（新ＩＣＣＩＤ、新ＩＭＳＩ）に基づいた新規アカウントのアクティブ化、およびＡｕＣ、ＨＬＲまたは必要とされる他の任意のシステムへの提供。
【００２３】
ＳＩＭデータ管理システムが実施されている状態で、アクティブ化の前にすべてのアカウント情報を多様なシステムに提供することは必要とされない。アクティブ化は、ＡｕＣとＨＬＲ上の空間を大いに節約する「ジャストインタイム」様式で行われる。
【００２４】
新しいＩＭＳＩ／Ｋｉではなく一回限りのＩＭＳＩ／Ｋｉが使用された理由は、アクティブ化された加入（ｓｕｂｓｃｒｉｐｔｉｏｎｓ）の数を軽減することである。利点は、ＳＩＭデータ管理サーバＳＤＭが、アクティブ化時にどのＨＬＲ／Ａｕｃセンタの中に新しいＩＭＳＩ／Ｋｉが常駐するのかを決定するという点である。その結果、これによりＨＬＲ加入容量のさらに優れた管理が可能になり、一回限りのＩＭＳＩ／Ｋｉは複数のカードと共用される。
【００２５】
アクティブ化前の新しいカードの目的は、アクティブ化要求を送信することである。これは、新しいカードＮＣＡＲから送出される情報が、参照のために旧カードのＩＭＳＩおよび新カード（ＳＣＢ）埋め込みＩＭＳＩを含む限り、あらゆる新しいカードが同じ数を使用するためである。
【００２６】
この解決策は、装置または任意の端末／読取装置からの情報の転送が実施された後に、新カードが受話器に差し込まれるときに旧カード情報を利用することにより、あらゆるユーザエラー／関与を最小限に抑える。以下は、上記説明で言及された構成要素と関連付けられるステップを説明する。
【００２７】
（ステップ１：加入者が旧いＳＩＭカードを交換する）
加入者はオペレータから、あるいはオペレータの流通経路から新しいＳＩＭカードを購入する、あるいは受け取る。配給業者からの、または新しいＳＩＭカードＮＣＡＲとともに購入、または送信されるＳＩＭコピーデバイスのおかげで、加入者はすべての既存の（「旧」とも呼ばれる）情報を、既存のＳＩＭカードから新しいＳＩＭカードＮＣＡＲにコピーできる。
【００２８】
図２は、リモート交換とアクティブ化を容易にするために実施されている、新しいＳＩＭファイル構造の例を示す。
【００２９】
図３は、旧カードＯＣＡＲと新ＳＩＭカードＮＣＡＲとに記憶されるファイルの部分を示す。この図の左側に旧いＳＩＭファイル構造を表し、右側に新しいＳＩＭファイル構造を表した（関連ファイルを表しただけである）。さらに詳細には、矢印は旧ＯＣＡＲから新ＳＩＭカードＮＣＡＲにコピーされる情報を示す。ＳＩＭコピーデバイスＣＯＰは、前回のテーブルの中の場所に従って、旧いＳＩＭから新しいＳＩＭに以下の情報をコピーする。この例では一回限りのＩＭＳＩとＫｉは、すべての新しいカードがアクティブ化要求のためにネットワークにログオンするための、ネットワーク上の既存のアカウントである。アカウントは、カスタマケアセンタ専用にイネーブルされたオンカードＦＤＮ（固定ダイヤル番号）によってだけではなく、またネットワークセットアップによって、電話をかけることができない。
【００３０】
（ステップ２：加入者が新しいＳＩＭカードをアクティブ化する）
この例では、加入者は第１のアクティブ化要求を開始するために、携帯機器ＭＢに新しいＳＩＭカードＮＣＡＲを差し込む。新しいＳＩＭカードＮＣＡＲが挿入されると、ＳＩＭカードと自動アクティブ化アプリケーションが以下のステップを実行する。
１．新しいＳＩＭカードＮＣＡＲは、一回限りのＩＭＳＩおよび一回限りの認証キーＫｉから計算される応答を使用して、ネットワークを認証する。
２．この例でネットワークに無事にログオンしたら、自動アクティブ化アプリケーションが、ＳＭＳＣに接続されるＳＩＭデータ管理サーバＳＤＭにアクティブ化要求を送出する。アプリケーションは、例えば以下を含む情報を（暗号化とチェックサムを用いて）送信する。
・ディスエーブルされなければならない一時ファイル内の旧いＩＣＣＩＤと旧いＩＭＳＩ。
・イネーブルされなければならない隠しファイルからの新しいＩＣＣＩＤと新しいＩＭＳＩ。セキュリティの理由から、旧／新Ｋｉはアプレットによって常には送出されない。ＩＭＳＩ、ＩＣＣＩＤだけが送信される。
３．アクティブ化要求ＳＭＳの送信が無事に終わると、自動アクティブ化アプリケーションが、既存のＩＭＳＩ値とＫＩ値を置換するために、隠しファイル内で、一回限りのＩＭＳＩと一回限りのＫｉを、新しいＩＭＳＩと新しいＫｉと交換する。次に、それはＡＤＮをイネーブルにし、ＦＤＮをディスエーブルする。
【００３１】
この例では、それはユーザに「アクティブ化進行中」をプロンプトで示し、ユーザに電話をオフに切り替えるように促す。新しいＳＩＭはアカウントをアクティブ化するためにＳＩＭデータ管理システムを待機する。
【００３２】
（ＳＩＭデータ管理ＳＤＭ側で、アクションは以下のとおりである）
１．ＳＩＭデータ管理ＳＤＭはアクティブ化要求を受け取り、情報を復号化し、有効であるかどうかチェックサムと突き合せる。次に、それはアカウントを非アクティブ化するために、他のネットワーク収納場所（ｒｅｐｏｓｉｔｏｒｙ）からアカウント情報を検索する。
２．旧いアカウントＩＭＳＩ／Ｋｉ非アクティブ化および新しいアカウントＩＭＳＩ／Ｋｉアクティブ化に関して、ネットワークオペレータが取る以下の２つの手法がある。
ａ）旧いアカウントを非アクティブ化し、新しいアカウントをアクティブ化する
このケースでは、旧いアカウント情報は新しいアカウントまで前進させず、ＳＩＭデータ管理システムＳＤＭは、旧いアカウントを非アクティブ化／削除し、上記システム内の新しいアカウントをアクティブ化／作成するために、ＡｕＣ、ＨＬＲ、カスタマケアＣＣＲ、支払い請求システムＢＳのような多様なシステムにコマンドを発行する。
ｂ）旧いアカウントを変更し、新しいアカウントまで前進させる
このケースでは、旧いアカウント情報が新しいアカウントまで前進させ、ＳＩＭデータ管理システムＳＤＭは、旧アカウント情報を新しいものにし、ＨＬＲ、ＡｕＣ内の旧アカウント情報を新アカウントで置換するために、多様なシステムにコマンドを発行するに過ぎない。
３．有利なことに、旧いアカウントの非アクティブ化と新しいアカウントのアクティブ化が無事に終了すると、加入者へアクティブ化を確認するために、ＳＩＭデータ管理システムＳＤＭは、例えばオプションのＳＭＳを送信できる。ＳＭＳが所定の期間内に受話器に無事に送達されると、システムは、アクティブ化が無事に実施されたことを記録できる。
４．１）非アクティブ化、２）アクティブ化、または３）このようなオプションの確認ＳＭＳの送信の間に、何らかの障害が発生した場合、適切な例外処理プロセスが適切なワークフローによって定義できる。つまり、バックエンドでの回復手順に関して調べ、補正措置を講じるために、カスタマケアに警報を送信する。
【００３３】
図１は、関連する様々なステップの図を示す。それぞれの番号（１から６）で参照される矢印が、各メッセージの方向を示す。さまざまなステップとは以下のとおりである。
１．ＳＩＭコピー機ＣＯＰは、旧ＩＣＣＩＤ、ＩＭＳＩを新しいカードにコピーする。
２．新しいＳＩＭカードＮＣＡＲが携帯電話ＭＯＢに差し込まれ、一回限りのａ／ｃを使用してネットワークにログオンする。次に、それはステップ３で旧カード情報と新カード情報を送出する。無事に送信したら、アクティブ化を待機している既存の一回限りのアカウントを置換するために、新しいＩＭＳＩとＫｉが上書きされる。
３．カードＮＣＡＲは、この一回限りのａ／ｃを使用してバックエンドに「旧ＩＣＣＩＤ／ＩＭＳＩ、新ＩＣＣＩＤ／ＩＭＳＩ」情報とともにアクティブ化要求を送出する。
４．専用のＳＭＳＣがアクティブ化要求を受け取り、要求をＳＩＭデータ管理ＳＤＭに渡す。
５．ＳＩＭデータ管理システムＳＤＭが要求を処理し、旧と新のＩＣＣＩＤ／ＩＭＳＩから対応するアカウント情報をフェッチし、バックエンド交換／アクティブ化プロセスを実行する。
６．ＳＩＭデータ管理システムＳＤＭは、カードアクティブ化のためのＡｕＣを含む多様なシステムを更新する。
【図面の簡単な説明】
【００３４】
【図１】本発明が適用できるコンピュータシステムの図である。
【図２】リモート交換およびアクティブ化を容易にするために実施されている新しいＳＩＭカードのファイル構造である。
【図３】旧いＳＩＭカードから新しいＳＩＭカードにコピーされる情報を示す図である。
【図１】
2007513534.tif 000003
【図２】
2007513534.tif 000004
【図３】
2007513534.tif 000005
【手続補正書】
【提出日】平成18年1月24日(2006.1.24)
【手続補正１】
【補正対象書類名】特許請求の範囲
【補正対象項目名】全文
【補正方法】変更
【補正の内容】
【特許請求の範囲】
【請求項１】
移動電気通信網における、ネットワーク内の少なくとも１つのリモートシステムと通信するように構成された、マイクロコントローラを含む加入者識別モジュールであって、前記加入者識別モジュールと前記リモートシステムは、ネットワークの中のユーザを識別する少なくとも１つのパラメータを記憶するように適応され、前記加入者識別モジュールは、
ネットワークへの一回限りのログオンのために設計される、一回限りのアカウント識別子と、
非アクティブ化されている恒久的なアカウント識別子と、
を備え、
前記一回限りのアカウント識別子および恒久的なアカウント識別子は、前記少なくとも１つのリモートシステムに事前に記憶され、前記マイクロコントローラは、
ａ）前記加入者識別モジュールがオンに切り替えられると、ネットワークにログオンするように一回限りのアカウント識別子を使用し、
ｂ）データ処理装置のアクティブなアカウント識別子としてネットワークに無事にログオンすると、加入者識別モジュール内の恒久的なアカウント識別子と一回限りのアカウント識別子を交換し、
ｃ）ネットワークに無事にログオンすると、第２の加入者識別モジュールに付けられるアカウント識別子をリモートシステムで非アクティブ化し、第１のデータ処理装置に付けられる恒久的なアカウント識別子をアクティブ化するためのアクティブ化要求を送信する、
ようにプログラミングされることを特徴とする、加入者識別モジュール。
【請求項２】
第１の加入者識別モジュールに付けられるアカウント識別子が、第２のデータ処理装置に付けられるアカウント識別子によって識別されるアカウントと同じアカウントを識別することを特徴とする、請求項１に記載の加入者識別モジュール。
【請求項３】
第１の加入者識別モジュールに付けられる恒久的なアカウント識別子が、第２のデータ処理装置に付けられるアカウント識別子によって識別されるアカウントと異なるアカウントを識別することを特徴とする、請求項１に記載の加入者識別モジュール。
【請求項４】
第１の加入者識別モジュールが、第２の加入者識別モジュールに付けられるアカウント識別子を記憶し、第１の加入者識別モジュールが、前記少なくとも１つのリモートシステムに第２の加入者識別モジュールに付けられる前記アカウント識別子を送信するように、プログラミングされることを特徴とする、請求項１に記載の加入者識別モジュール。
【請求項５】
前記加入者識別モジュールがＳＩＭカードであることを特徴とする、請求項１に記載の加入者識別モジュール。
【請求項６】
前記ログオンステップａ）が集中リモートシステムで実行され、前記装置からアクティブ化要求を受け取った後、前記集中リモートシステムは、第２の装置に対応する現在のアクティブアカウントを第１の装置に対応する新しいアクティブアカウントに交換するように、前記少なくとも１つのリモートシステムにコマンドを送信する、請求項１に記載のデータ処理装置。
【請求項７】
ステップｂ）が、ログオン成功を知らせるネットワークからメッセージを受け取った後に実行される自動アクティブ化アプリケーションによって前記装置で実行される、請求項１に記載のデータ処理装置。
【請求項８】
移動電気通信網におけるリモート電気通信システムであって、前記ネットワークシステムは、加入者識別モジュールと通信でき、前記ネットワークシステムは、
・加入者識別モジュールのネットワークへの一回限りのログオンのための、一回限りのアカウント識別子と、
・オリジナルのデータ処理装置に付けられる恒久的なアカウント識別子と、
を記憶し、
ネットワークシステムが、ネットワーク内の交換加入者識別モジュールのログオンを受け入れるように命令の集合を記憶し、以下の演算、
・オリジナル加入者識別モジュールに付けられるアカウント識別子を非アクティブ化することと、
・交換データ処理装置に付けられるアカウント識別子をアクティブ化することと、
を行うことによって、交換加入者識別モジュールからアクティブ化要求を処理する、
リモート電気通信システム。
【請求項９】
リモート電気通信システムは、オリジナル加入者識別モジュールに付けられるアカウント識別子を、交換データ処理装置に付けられるアカウント識別子によって識別されるアカウントと同じアカウントと関連付けるようにプログラミングされることを特徴とする、請求項８に記載のリモート電気通信システム。
【請求項１０】
リモート電気通信システムは、第１の加入者識別モジュールに付けられる恒久的なアカウント識別子を、第２のデータ処理装置に付けられるアカウント識別子によって識別されるアカウントと異なるアカウントに関連付けるようにプログラミングされることを特徴とする、請求項８に記載のリモート電気通信システム。
【請求項１１】
リモートシステムが、第１のデータ処理装置によって送信されるように第２の処理装置に付けられるアカウント識別子から非アクティブ化されるアカウント識別子を決定することを特徴とする、請求項８に記載のリモート電気通信システム。
【請求項１２】
一回限りのパラメータが、ネットワーク内のデータ処理装置の集合と同じであることを特徴とする、請求項８に記載のリモート電気通信システム。
【請求項１３】
電気通信ネットワークで加入者識別モジュールをアクティブ化するための方法であって、前記方法は、ネットワークへの一回限りのログオンのために設計される一回限りのアカウント識別子を記憶し、恒久的なアカウント識別子も記憶する第１の加入者識別モジュールを提供するステップを含み、前記恒久的なアカウント識別子はアクティブ化され、前記加入者識別モジュールは、ネットワークへの一回限りのログオンが成功すると、前記第１の加入者識別モジュール内で一回限りのアカウント識別子を恒久的なアカウント識別子を交換し、前記第１のデータ処理装置に付けられる前記恒久的なアカウント識別子をアクティブ化するためのリモートネットワークシステムにアクティブ化要求を送信するようにプログラミングされ、前記方法は、第２の加入者識別モジュールに付けられるアクティブアカウント識別子を記憶するリモートネットワークシステムを提供するステップを含み、前記リモートネットワークシステムは、第２のオリジナル加入者識別モジュールに付けられるアカウント識別子を非アクティブ化することと、第１の加入者識別モジュールに付けられるアカウント識別子をアクティブ化することとを含む操作によって、第１の加入者識別モジュールから発するアクティブ化要求を処理するようにプログラミングされる、方法。
【請求項１４】
マイクロコントローラを含み、ネットワーク上で分散される少なくとも１つのリモートシステムと通信するように構成されるデータ処理装置であって、前記データ処理装置と前記リモートシステムが、加入者に属するユーザアカウントを識別するための複数のパラメータを記憶するように適応され、前記データ処理装置は、
一回限りの使用のために設計された前記デバイスに付けられるアクティブアカウントを備える一回限りのパラメータと、
前記データ処理装置に付けられるアカウントを識別する恒久的なパラメータであって、非アクティブ化される前記恒久的なパラメータと、
を備え、
前記一回限りのパラメータと恒久的なパラメータは、前記少なくとも１つのリモートシステムに記憶され、前記マイクロコントローラは、
ｃ）前記データ処理装置がオンに切り替えられるとネットワークにログオンするように一回限りのパラメータを使用し、
ｄ）一回限りのパラメータを恒久的なパラメータと交換し、ネットワークに無事にログオンすると、前記恒久的なパラメータは恒久的なアクティブアカウントになる、
ようにプログラミングされ、
前記第１の装置と前記少なくとも１つのリモートシステムは、交換するように第２のデータ処理装置に付けられる現在のアクティブアカウントを識別するパラメータを記憶し、ネットワークへのログオンが成功すると、前記第１の装置に自動的に記憶されているプログラムが、前記少なくとも１つのリモートシステムで旧いものから新しいものに複数のパラメータを交換するためのアクティブ化要求を送信し、現在のアクティブなアカウントが非アクティブ化されている、データ処理装置。
【請求項１５】
前記アクティブ化要求は、アカウントアクティブ化を要求する装置を識別するように、少なくとも１つの旧いパラメータおよび／または少なくとも１つの新しいパラメータを含む、請求項１４に記載のデータ処理装置。
【請求項１６】
前記一回限りのパラメータは、それぞれの旧いデータ処理装置を置換するデータ処理装置の集合に対して同じである、請求項１４に記載のデータ処理装置。
【請求項１７】
加入者が前記データ処理装置をオンに切り替える、請求項１４に記載のデータ処理装置。
【請求項１８】
前記第１の装置からアクティブ化要求を受け取った後、第２の装置に対応する現在のアクティブアカウントを第１の装置に対応する新しいアクティブアカウントに交換するように、前記少なくとも１つのリモートシステムにコマンドを送信する、請求項１４に記載のデータ処理装置。
【請求項１９】
前記ログオンステップｃ）が集中リモートシステムで実行され、前記装置からアクティブ化要求を受け取った後、前記集中リモートシステムは、第２の装置に対応する現在のアクティブアカウントを第１の装置に対応する新しいアクティブアカウントに交換するように、前記少なくとも１つのリモートシステムにコマンドを送信する、請求項１４に記載のデータ処理装置。
【請求項２０】
ステップｄ）が、ログオン成功を知らせるネットワークからメッセージを受け取った後に実行される自動アクティブ化アプリケーションによって前記装置で実行される、請求項１４に記載のデータ処理装置。
【国際調査報告】
2007513534.tif 000006
2007513534.tif 000007